(57)【要約】【課題】正座したままの状態でも立ったままの状態でも使用することができる茶室用水屋を提供する。【解決手段】床面に設置された第１の流し１２及び第１の流し１２の上方に設けられた、少なくとも１段の棚板で構成される第１の棚１４を有する第１の水屋１０と、第１の水屋１０の第１の棚１４のうち最上段の棚板１４ｂから所定の高さの位置に設けられた、第２の流し２２及び第２の流し２２の上方に設けられた、少なくとも１段の棚板で構成される第２の棚２４を有する第２の水屋２０と、を備えた茶室用水屋１。【選択図】図１
0003172195.tif 000002
【実用新案登録請求の範囲】
【請求項１】
床面に設置された第１の流し及び前記第１の流しの上方に設けられた、少なくとも１段の棚板で構成される第１の棚を有する第１の水屋と、
前記第１の水屋の前記第１の棚のうち最上段の棚板から所定の高さの位置に設けられた第２の流し及び前記第２の流しの上方に設けられた、少なくとも１段の棚板で構成される第２の棚を有する第２の水屋と、
を備えたことを特徴とする茶室用水屋。
【考案の詳細な説明】
【技術分野】
【０００１】
本考案は、正座したままの状態でも立ったままの状態でも使用することができる茶室用水屋に関する。
【背景技術】
【０００２】
従来、茶室は、日本独特の文化的背景を有する茶道を提供する場所であり、その構造は日本の習慣や日本人の体格に基づいたものとなっており、例えば、茶室内においては畳の上に正座しなければならないなど外国人には使いづらく、茶道を十分に楽しむことができないものであった。
【０００３】
この状況を解消するため、茶道の様式においても、正座をしてお手前を楽しむ伝統的な正座式に加え、椅子などに腰掛けてお点前を楽しむ立礼式の茶道様式が考案されている。
この立礼式でのお手前を楽しむために、テーブルのように、脚を設けた畳床を構成し、それを茶室の一部に所定の高さまでかさ上げしたうえで、かさ上げした畳床の一部を切り欠くことにより、足を挿入できるようにして、畳床に腰掛けることができるようにした茶道茶会具があった（例えば、特許文献１参照）。
【先行技術文献】
【特許文献】
【０００４】
【特許文献１】特開平８−１８７１７７号公報
【考案の概要】
【考案が解決しようとする課題】
【０００５】
上記特許文献１に記載茶道用茶会具では、例えば、外国人などのように、正座をする習慣がないような人であっても、正座をすることなく、腰掛けた状態でお茶を喫することはできる。
【０００６】
ところが、水屋を使用する場合、腰掛けたときの姿勢が高いため、正座をして使用する従来の水屋を使うことができなくなってしまうという問題があった。
本考案は、こうした問題に鑑みなされたもので、正座したままの状態でも立ったままの状態でも使用することができる茶室用水屋を提供することを目的とする。
【課題を解決するための手段】
【０００７】
この欄においては、考案に対する理解を容易にするため、必要に応じて「考案を実施するための形態」欄において用いた符号を付すが、この符号によって請求の範囲を限定することを意味するものではない。
【０００８】
上記「考案が解決しようとする課題」において述べた問題を解決するためになされた請求項１に記載の考案は、床面に設置された第１の流し（１２）及び第１の流し（１２）の上方に設けられた、少なくとも１段の棚板で構成される第１の棚（１４）を有する第１の水屋（１０）と、第１の水屋（１０）の第１の棚（１４）のうち最上段の棚板（１４ｂ）から所定の高さの位置に設けられた第２の流し（２２）及び第２の流し（２２）の上方に設けられた、少なくとも１段の棚板で構成される第２の棚（２４）を有する第２の水屋（２０）と、を備えたことを特徴とする茶室用水屋（１）である。
【０００９】
このような茶室用水屋（１）は、正座したままの状態でも立ったままの状態でも使用することができる茶室用水屋（１）とすることができる。以下、その理由について説明する。
【００１０】
第１の水屋（１０）では、従来の茶室用水屋と同じように、第１の流し（１２）が床面に設置されており、第１の流し（１２）の上方に少なくとも１段の棚板で構成される第１の棚（１４）が設けられている。したがって、従来通り床面（畳面）に正座をしたまま水屋を使用することができる。
【００１１】
また、第２の水屋（２０）では、第１の水屋（１０）の第１の棚（１４）のうち最上段の棚板（１４ｂ）から所定の高さの位置に第２の流し（２２）が設けられ、第２の流し（２２）の上方に、少なくとも１段の第２の棚（２４）が設けられている。
【００１２】
つまり、第２の流し（２２）や第２の棚（２４）が、床面からある高さ（例えば腰の高さ）を有して設けられているので、立った状態でも使用することができる茶室用水屋（１）とすることができる。
【００１３】
このような第１の水屋（１０）と第２の水屋（２０）を備えることによって、正座したままの状態でも立ったままの状態でも使用することができる茶室用水屋（１）とすることができるのである。
【００１４】
ここで、「第１の棚（１４）のうち最上段の棚板（１４ｂ）」とは、第１の棚（１４）が複数の棚板で構成される場合は、その棚板を意味しており、複数の棚板で構成されている場合には、最も高い位置にある棚板を意味している。
【図面の簡単な説明】
【００１５】
【図１】茶室内の水屋の概略の構造を示す図である。
【考案を実施するための形態】
【００１６】
以下、本考案が適用された実施形態について図面を用いて説明する。なお、本考案の実施の形態は、下記の実施形態に何ら限定されることはなく、本考案の技術的範囲に属する限り種々の形態を採りうる。
【００１７】
図１は、本考案が適用された茶室用水屋１の概略の構造を示す図であり、図１（ａ）は、茶室用水屋１の概略の構造を示す正面図であり、図１（ｂ）は、側面図である。茶室用水屋１は、図１に示すように、第１の水屋１０と第２の水屋２０とから構成されている。
【００１８】
第１の水屋１０は、茶室の床面（畳面）に設置された第１の流し１２及び第１の流し１２の上方に設けられた第１の棚１４を有している。
第１の流し１２は、間口（幅）が約１００［ｃｍ］、奥行きが約５０［ｃｍ］であり、銅製やステンレス製の銅板落としと呼ばれる、約５［ｃｍ]程度の深さ（換言すれば、畳面から５［ｃｍ］程度下がった位置に底部）を有するシンクに、竹簀子と呼ばれる竹製の簀子が敷かれている。
【００１９】
竹簀子の上には、お点前に使用する水指、たらい、建水などが載置され、お点前で使用した茶器などを洗うことができるようになっている。
第１の水屋１０の側壁面（左右壁面と前面）は、腰板と呼ばれる木製の板で形成されており、前面の腰板の上部右部分に、水を供給するための第１の水栓４０が設けられている。
【００２０】
また、前面の腰板の上部には、竹釘６０と呼ばれる竹製の釘が、腰板面から数センチ頭が出るように数本打ち込まれ、腰板面から出ている部分に、柄杓や布巾等を掛けることができるようになっている。
【００２１】
第１の棚１４は、２段の棚板１４ａ、１４ｂで構成されており、木製の平板を簀子状に形成した、１段目の棚板である水切棚１４ａが設けられている。この水切棚１４ａは、お点前に使用される茶碗などを載置しておく棚である。
【００２２】
水切棚１４ａの上方には、２段目の棚板である、平板状に形成した木製の通し棚１４ｂが設けられている。この通し棚１４ｂは、お点前に使用される茶入れなどを載置しておく棚である。なお、本実施形態では、通し棚１４ｂは、１段であるが、２段以上であってもよい。
【００２３】
第１の水屋１０の前面には、板張りの開き戸９０が設けられており、第１の水屋１０を使用しない場合には開き戸９０を閉じて、第１の水屋１０が見えないようにしておくことができるようになっている。
【００２４】
第２の水屋２０は、第１の水屋１０の第１の棚１４のうち最上段の棚板である通し棚１４ｂから所定の高さの位置に設けられた第２の流し２２及び第２の流し２２の上方に設けられた第２の棚２４を有している。
【００２５】
第２の水屋２０は、第１の水屋１０とほぼ同じ構造であり、第２の流し２２は、竹簀子が敷かれた、深さ約５［ｃｍ］のシンクを有している。
また、第２の棚２４は、３段の棚板２４ａ，２４ｂ，２４ｃで構成されており、最下段の第１段目は、水切棚２４ａ、水切棚２４ａの上方には、２段の通し棚２４ｂ，２４ｃが設けられている。
【００２６】
また、第２の水屋２０の前部壁面（前部腰板）の右部には、第２の水栓５０が設けられ、第２の水栓５０の上方には、竹釘６０が数本打ち込まれている。この竹釘に６０は、図１（ａ）に示すように、柄杓や布巾などが掛けられるようになっている。
【００２７】
なお、本実施形態では、第１の水屋１０と異なり、第２の水屋２０には、開き戸９０は設けられていないが、第２の水屋２０にも開き戸９０を設け、使用しないときに外部から見えないようにしてもよい。
（茶室用水屋１の特徴）
以上のような構造を有する茶室用水屋１は、正座したままの状態でも立ったままの状態でも使用することができる茶室用水屋とすることができる。
【００２８】
つまり、従来の茶室用水屋１と同じように、第１の流し１２が床面に設置されており、第１の流し１２の上方に少なくとも１段の棚板で構成される第１の棚１４が設けられている。したがって、従来通り正座をしたまま第１の水屋１０を使用することができる。
【００２９】
また、第２の水屋２０では、第２の流し２２や第２の棚２４が、床面からある高さを有して設けられているので、例えば、正座をしない、立ったままの状態であっても使用することができる。
【００３０】
このような第１の水屋１０と第２の水屋２０を備えることによって、正座したままの状態でも立ったままの状態でも使用することができる茶室用水屋とすることができる。
以上、本考案の実施形態について説明したが、本考案は、本実施形態に限定されるものではなく、種々の態様を採ることができる。
（１）上記実施形態では、第１の棚１４は、２段の棚板を有していたが、１枚の棚板であってもよい。
（２）また、第２の棚２４は、３段の棚板を有していたが、棚板は１段のみであってもよいし、２段或いは４段以上であってもよい。
（３）上記実施形態では、開き戸９０は、板張りであったが、ガラス張りやアクリル張りとして、開き戸９０を閉じた状態でも水屋の内部が見えるようにしてもよい。
（４）上記実施形態では、第１の棚１４や第２の棚２４が左側、第１の水栓４０、第２の水栓５０或いは竹釘６０が右側に配置されていたが、左右逆の配置であってもよい。
（５）上記実施形態における寸法は例示であり、茶室の大きさなどに応じて変更してもよい。
【符号の説明】
【００３１】
１…茶室用水屋、１０…第１の水屋、１２…第１の流し、１４…第１の棚、１４ａ，２４ａ…水切棚、１４ｂ，２４ｂ，２４ｃ…通し棚、２０…第２の水屋、２２…第２の流し、２４…第２の棚、４０…第１の水栓、５０…第２の水栓、６０…竹釘、９０…開き戸。
【図１】
0003172195.tif 000003